(57)【要約】【課題】ベゾルド・ブリュッケ現象の影響によって生じる条件等色誤差を補正し、測定者が適正な色特性情報を効率的に得る。【解決手段】試料Ｓの刺激光ＨＳについてのスペクトル情報Ｓ１（λ）によって算出される輝度Ｙ１に基づいて瞳孔径Ｒを算出した後に、そのスペクトル情報Ｓ１（λ）と瞳孔径Ｒとに基づいて分光網膜照度Ｅｒ（λ）を算出する。そして、分光網膜照度Ｅｒ（λ）を等色相曲線データに照らし合わせることによって、収集されたスペクトル情報Ｓ１（λ）を、条件等色誤差が補正されたスペクトル情報Ｓ２（λ）に変換後、その変換されたスペクトル情報Ｓ２（λ）に基づいて試料Ｓについての色特性値を算出する。【選択図】図３
2008051671.tif 000002
【特許請求の範囲】
【請求項１】
試料の色特性値を測定する色彩測定装置であって、
前記試料の刺激光についてのスペクトル情報を収集するスペクトル情報収集部と、
前記スペクトル情報収集部によって収集された前記スペクトル情報から算出される輝度に基づいて瞳孔径を算出する瞳孔径算出部と、
前記スペクトル情報収集部によって収集された前記スペクトル情報と、前記瞳孔径算出部によって算出された前記瞳孔径とに基づいて、分光網膜照度を算出する分光網膜照度算出部と、
前記分光網膜照度算出部にて算出された前記分光網膜照度を等色相曲線データに照らし合わせることによって、前記スペクトル情報収集部によって収集された前記スペクトル情報を変換するスペクトル情報変換部と、
前記スペクトル情報変換部によって変換された前記スペクトル情報に基づいて前記試料についての色特性値を算出する色特性算出部と
を有することを特徴とする
色彩測定装置。
【請求項２】
前記色特性算出部によって算出された前記色特性値を表示する表示部
を有することを特徴とする
請求項１に記載の色彩測定装置。
【請求項３】
前記色特性算出部は、前記スペクトル情報収集部によって収集された前記スペクトル情報に基づいて前記試料についての色特性値を算出し、
前記表示部は、前記色特性算出部が、前記スペクトル情報収集部によって収集された前記スペクトル情報に基づいて算出した前記色特性値と、前記スペクトル情報変換部によって変換された前記スペクトル情報に基づいて算出した前記色特性値とのそれぞれを、表示することを特徴とする
請求項２に記載の色彩測定装置。
【請求項４】
前記色特性算出部は、前記色特性値として、三刺激値を算出することを特徴とする
請求項３に記載の色彩測定装置。
【請求項５】
前記色特性算出部は、前記色特性値として、色度を算出することを特徴とする
請求項３に記載の色彩測定装置。
【請求項６】
前記表示部は、前記スペクトル情報変換部によって変換されたスペクトル情報を表示することを特徴とする
請求項２に記載の色彩測定装置。
【請求項７】
前記表示部は、前記スペクトル情報収集部によって収集されたスペクトル情報を、前記スペクトル情報変換部によって変換されたスペクトル情報に対応するように表示することを特徴とする
請求項６に記載の色彩測定装置。
【請求項８】
前記試料が、液晶表示ディスプレイであることを特徴とする
請求項１に記載の色彩測定装置。
【請求項９】
試料の色特性値を測定する色彩測定方法であって、
前記試料の刺激光についてのスペクトル情報を収集するスペクトル情報収集工程と、
前記スペクトル情報収集工程にて収集された前記スペクトル情報によって算出される輝度に基づいて瞳孔径を算出する瞳孔径算出工程と、
前記スペクトル情報収集工程にて収集された前記スペクトル情報と、前記瞳孔径算出工程にて算出された前記瞳孔径とに基づいて、分光網膜照度を算出する分光網膜照度算出工程と、
前記分光網膜照度算出工程にて算出された前記分光網膜照度を等色相曲線データに照らし合わせることによって、前記スペクトル情報収集工程にて収集された前記スペクトル情報を変換するスペクトル情報変換工程と、
前記スペクトル情報変換工程によって変換された前記スペクトル情報に基づいて前記試料についての色特性値を算出する色特性算出工程と
を有することを特徴とする
色彩測定方法。
【請求項１０】
試料の色特性値と、前記試料に対して基準となる参照試料の色特性値との間において生ずる条件等色誤差を測定する条件等色誤差測定方法であって、
前記参照試料からの参照刺激光についての色特性値を算出する第１工程と、
前記試料からの刺激光と、前記参照試料からの参照刺激光とが互いに同一な明るさおよび色調に観察されるように、前記試料からの刺激光を調整する第２工程と、
前記第２工程にて調整された前記試料の刺激光についての色特性値を算出する第３工程と、
前記第１工程にて前記参照刺激光について算出された色特性値と、前記第３工程にて前記刺激光について算出された前記色特性値とを差分することによって、条件等色誤差を算出する第４工程と
を有し、
前記第１工程と前記第３工程とのそれぞれは、
前記刺激光についてのスペクトル情報を収集するスペクトル情報収集工程と、
前記スペクトル情報収集工程にて収集された前記スペクトル情報によって算出される輝度に基づいて瞳孔径を算出する瞳孔径算出工程と、
前記スペクトル情報収集工程にて収集された前記スペクトル情報と、前記瞳孔径算出工程にて算出された前記瞳孔径とに基づいて、分光網膜照度を算出する分光網膜照度算出工程と、
前記分光網膜照度算出工程にて算出された前記分光網膜照度を等色相曲線データに照らし合わせることによって、前記スペクトル情報収集工程にて収集された前記スペクトル情報を変換するスペクトル情報変換工程と
を含み、
前記スペクトル情報変換工程によって変換された前記スペクトル情報に基づいて前記色特性値を算出し、
前記第２工程においては、前記試料からの刺激光を複数の被験者が調整し、
前記第３工程においては、前記第２工程にて前記複数の被験者にて調整された前記試料の刺激光のそれぞれについての色特性値を算出した後に、当該算出された色特性値の平均値を、前記色特性値として算出することを特徴とする
条件等色誤差測定方法。
【請求項１１】
前記第３工程においては、前記第２工程にて前記複数の被験者にて調整された前記試料の刺激光のそれぞれについての色特性値の誤差値を算出することを特徴とする
請求項１０に記載の条件等色誤差測定方法。
【発明の詳細な説明】
【技術分野】
【０００１】
本発明は、色彩測定装置，色彩測定方法および条件等色誤差測定方法に関する。特に、試料の色特性値を測定する色彩測定装置および色彩測定方法と共に、試料の色特性値と、その試料に対して基準となる参照試料の色特性値との間において生ずる条件等色誤差を測定する条件等色誤差測定方法に関する。
【背景技術】
【０００２】
試料の色特性を測定する装置として、色彩測定装置が用いられている。色彩測定装置は、たとえば、表示装置が表示する画像などについての色特性値を測定する場合に利用されている。
【０００３】
この色彩測定装置は、試料の刺激光についてのスペクトル情報を収集した後に、その収集したスペクトル情報に基づいて、たとえば、三刺激値Ｘ，Ｙ，Ｚ，色度ｘ，ｙなどの色特性値を算出する。そして、その算出した色特性値を、たとえば、モニタの表示画面に表示することによって、オペレータに伝達する（たとえば、特許文献１参照）。
【０００４】
たとえば、試料として、表示装置が表示する画像についての色特性値を測定する場合においては、その画像からの刺激光に関するスペクトル情報を、分光光度計を用いて収集する。その後、その収集したスペクトル情報から、色特性値として、たとえば、国際照明委員会（ＣＩＥ：Ｃｏｍｍｉｓｓｉｏｎ  Ｉｎｔｅｒｎａｔｉｏｎａｌ  ｄｅ  ｌ・Ｅｃｌａｉｒａｇｅ）にて制定されたＸＹＺ表色系における三刺激値Ｘ，Ｙ，Ｚや色度ｘ，ｙを算出する。ここでは、「ＪＩＳ  Ｚ８７０１」や「ＪＩＳ  Ｚ  ８７８２」に規定されている算出方法にて、その三刺激値Ｘ，Ｙ，Ｚや、色度ｘ，ｙなどの色特性値が算出される。
【０００５】
この色特性値は、たとえば、試料と、その試料に対して基準になる参照試料とのそれぞれについて測定され、互いの測定結果を比較することで、試料の色特性が適正か否かが判断される。
【０００６】
【特許文献１】特開平１１−３５１９６５号公報
【発明の開示】
【発明が解決しようとする課題】
【０００７】
しかしながら、上記のようにして測定された色特性値においては、条件等色誤差が生ずる場合があるために、試料の色特性を適正に判断することが困難な場合がある。
【０００８】
たとえば、液晶表示ディスプレイで表示される画像と、ＣＲＴディスプレイで表示される画像とにおいて、同一な測光値の色特性値が得られる場合であっても、測定者が、それぞれの画像を観察した際には、同一な色特性であると判断することができない場合がある。このため、たとえば、液晶表示ディスプレイを開発する場合においては、その表示画像特性をＣＲＴディスプレイに対応するように設定することが困難な場合がある。
【０００９】
これは、ＣＲＴディスプレイの場合には分光網膜照度が可視光の波長範囲にてブロードであるのに対して、液晶表示ディスプレイの場合には、分光網膜照度に大きなピークがあるために、測定者の視覚機能においては、ベゾルド・ブリュッケ現象（Ｂｅｚｏｌｄ−Ｂｒｕｃｋｅ  ｅｆｆｅｃｔ）が生ずるためである。
【００１０】
すなわち、人間の視感特性には、同じ分光組成の場合でも、その輝度が変わると色相が変わるベゾルド・ブリュッケ現象が関わっており、たとえば、単色光を１００ｔｄから１０００ｔｄへ明るくした場合に生じる色は、４７５ｎｍ未満では長波長側、４７５ｎｍ〜５０５ｎｍでは短波長側、５０５ｎｍ〜５７５ｎｍでは長波長側、５７５ｎｍを超える場合には短波長側へ変化する。このため、試料の色特性を適正に判断することが困難な場合がある。
【００１１】
このように、液晶表示ディスプレイとＣＲＴディスプレイとのそれぞれにおいて、上記の測定結果に基づいて求められる色差が０になるように画像表示を実施した場合でも、ベゾルド・ブリュッケ現象の影響によって、条件等色誤差が生じることになる。つまり、上記の装置にて得られた色特性情報と、測定者の主観にて得られる色特性情報とが異なる場合があるため、適正な色特性情報を効率的に得ることができない場合がある。また、この条件等色誤差の発生を認識するために、条件等色誤差を効率的に定量化することが求められている。
【００１２】
したがって、本発明は、主観的な色特性値を定量化できる色彩測定装置，色彩測定方法と、条件等色誤差を効率的に定量化できる条件等色誤差測定システム，条件等色誤差測定方法を提供することにある。
【課題を解決するための手段】
【００１３】
上記の課題を解決するために、本発明の色彩測定装置は、試料の色特性値を測定する色彩測定装置であって、前記試料の刺激光についてのスペクトル情報を収集するスペクトル情報収集部と、前記スペクトル情報収集部によって収集された前記スペクトル情報によって算出される輝度に基づいて瞳孔径を算出する瞳孔径算出部と、前記スペクトル情報収集部によって収集された前記スペクトル情報と、前記瞳孔径算出部によって算出された前記瞳孔径とに基づいて、分光網膜照度を算出する分光網膜照度算出部と、前記分光網膜照度算出部にて算出された前記分光網膜照度を等色相曲線データに照らし合わせることによって、前記スペクトル情報収集部によって収集された前記スペクトル情報を変換するスペクトル情報変換部と、前記スペクトル情報変換部によって変換された前記スペクトル情報に基づいて前記試料についての色特性値を算出する色特性算出部とを有することを特徴とする。
【００１４】
上記の課題を解決するために、本発明の色彩測定方法は、試料の色特性値を測定する色彩測定方法であって、前記試料の刺激光についてのスペクトル情報を収集するスペクトル情報収集工程と、前記スペクトル情報収集工程にて収集された前記スペクトル情報によって算出される輝度に基づいて瞳孔径を算出する瞳孔径算出工程と、前記スペクトル情報収集工程にて収集された前記スペクトル情報と、前記瞳孔径算出工程にて算出された前記瞳孔径とに基づいて、分光網膜照度を算出する分光網膜照度算出工程と、前記分光網膜照度算出工程にて算出された前記分光網膜照度を等色相曲線データに照らし合わせることによって、前記スペクトル情報収集工程にて収集された前記スペクトル情報を変換するスペクトル情報変換工程と、前記スペクトル情報変換工程によって変換された前記スペクトル情報に基づいて前記試料についての色特性値を算出する色特性算出工程とを有することを特徴とする。
【００１５】
上記の本発明の色彩測定装置と色彩測定方法とにおいては、試料の刺激光についてのスペクトル情報を収集する。そして、その収集されたスペクトル情報によって算出される輝度に基づいて瞳孔径を算出する。そして、収集されたスペクトル情報と、算出された瞳孔径とに基づいて、分光網膜照度を算出する。その後、その算出された分光網膜照度を等色相曲線データに照らし合わせることによって、収集されたスペクトル情報を変換する。そして、その変換されたスペクトル情報に基づいて試料についての色特性値を算出する。
【００１６】
上記の課題を解決するために、本発明の条件等色誤差測定方法は、試料の色特性値と、前記試料に対して基準となる参照試料の色特性値との間において生ずる条件等色誤差を測定する条件等色誤差測定方法であって、前記参照試料からの参照刺激光についての色特性値を算出する第１工程と、前記試料からの刺激光と、前記参照試料からの参照刺激光とが互いに同一な明るさおよび色調に観察されるように、前記試料からの刺激光を調整する第２工程と、前記第２工程にて調整された前記試料の刺激光についての色特性値を算出する第３工程と、前記第１工程にて前記参照刺激光について算出された色特性値と、前記第３工程にて前記刺激光について算出された前記色特性値とを差分することによって、条件等色誤差を算出する第４工程とを有し前記第１工程と前記第３工程とのそれぞれは、前記刺激光についてのスペクトル情報を収集するスペクトル情報収集工程と、前記スペクトル情報収集工程にて収集された前記スペクトル情報によって算出される輝度に基づいて瞳孔径を算出する瞳孔径算出工程と、前記スペクトル情報収集工程にて収集された前記スペクトル情報と、前記瞳孔径算出工程にて算出された前記瞳孔径とに基づいて、分光網膜照度を算出する分光網膜照度算出工程と、前記分光網膜照度算出工程にて算出された前記分光網膜照度を等色相曲線データに照らし合わせることによって、前記スペクトル情報収集工程にて収集された前記スペクトル情報を変換するスペクトル情報変換工程とを含み、前記スペクトル情報変換工程によって変換された前記スペクトル情報に基づいて前記色特性値を算出し、前記第２工程においては、前記試料からの刺激光を複数の被験者が調整し、前記第３工程においては、前記第２工程にて前記複数の被験者にて調整された前記試料の刺激光のそれぞれについての色特性値を算出した後に、当該算出された色特性値の平均値を、前記色特性値として算出することを特徴とする。
【００１７】
上記の本発明の条件等色誤差測定方法では、第１工程にて、参照試料からの参照刺激光についての色特性値を算出する。つぎに、第２工程にて、試料からの刺激光と、参照試料からの参照刺激光とが互いに同一な明るさおよび色調に観察されるように、試料からの刺激光を調整する。つぎに、第３工程にて、その調整された試料の刺激光についての色特性値を算出する。つぎに、第４工程にて、その参照刺激光について算出された色特性値と、その刺激光について算出された色特性値とを差分することによって、条件等色誤差を算出する。ここで、参照試料からの参照刺激光と試料の刺激光とについての色特性値を算出する際には、その刺激光についてのスペクトル情報を収集した後に、そのスペクトル情報によって算出される輝度に基づいて瞳孔径を算出する。そして、収集されたスペクトル情報と瞳孔径とに基づいて、分光網膜照度を算出する。その後、その算出された分光網膜照度を等色相曲線データに照らし合わせることによって、収集されたスペクトル情報を変換した後に、変換された前記スペクトル情報に基づいて色特性値を算出する。そして、第２工程においては、試料からの刺激光を複数の被験者が調整し、第３工程においては、その第２工程にて複数の被験者にて調整された試料の刺激光のそれぞれについての色特性値を算出した後に、当該算出された色特性値の平均値を、前記色特性値として算出することを特徴とする。
【発明の効果】
【００１８】
本発明によれば、主観的な色特性値を定量化できる色彩測定装置，色彩測定方法と、条件等色誤差を効率的に定量化できる条件等色誤差測定システム，条件等色誤差測定方法を提供することができる。
【発明を実施するための最良の形態】
【００１９】
＜第１の実施形態＞
本発明にかかる第１の実施形態について説明する。
【００２０】
（装置）
図１は、本発明にかかる第１の実施形態において、色彩測定装置１００の構成を示すブロック図である。
【００２１】
図１に示すように、色彩測定装置１００は、分光光度計１と、スペクトル情報収集部２と、分光光度計制御部３と、情報処理部４と、指示部５と、メモリ６と、出力制御部７と、モニタ８と、プリンタ９とを有しており、試料Ｓの色特性値を測定する。
【００２２】
色彩測定装置１００の各部について順次説明する。
【００２３】
分光光度計１は、図１に示すように、平面回折格子１ａと、アレイ状に配置された受光素子１ｂとを有している。分光光度計１においては、試料Ｓからの刺激光ＨＳが、レンズ群（図示なし）を介して平面回折格子１ａに入射され、その入射された光を平面回折格子１ａが波長ごとに分光する。そして、その分光された刺激光ＨＳが、レンズ群（図示なし）を介して、受光素子１ｂへ照射される。この受光素子１ｂは、たとえば、光電子増倍管（図示なし）を含み、その分光された刺激光ＨＳを光電子増倍管が受光し、電気信号に変換する。具体的には、分光された刺激光ＨＳのうち、特定波長の刺激光ＨＳが受光素子１ｂの特定の各素子で受光されて、電気信号に変換される。この受光素子１ｂに到達する刺激光ＨＳの量は、刺激光ＨＳの波長に応じて異なるため、波長変化に伴って、変換される電気信号の値が変化するため、この測定によって、刺激光ＨＳのスペクトル情報を得ることができる。
【００２４】
スペクトル情報収集部２は、たとえば、バッファメモリを有しており、分光光度計１によって変換された電気信号を、スペクトル情報として逐次収集する。
【００２５】
分光光度計制御部３は、たとえば、コンピュータと、そのコンピュータに所定の動作を実行させるプログラムを記憶しているメモリとを有しており、分光光度計１の動作を制御する。ここでは、分光光度計制御部３は、情報処理部４からの制御信号に基づいて分光光度計１の動作を制御する。
【００２６】
情報処理部４は、コンピュータを有しており、メモリ６に記憶されたプログラムによって、そのコンピュータが各種の情報処理を実施する。たとえば、測定者が指示部５に測定の開始の指示を入力した場合には、情報処理部４は、分光光度計制御部３へ、スペクトル情報の測定を開始させる制御信号を出力すると共に、スペクトル情報収集部２へ、そのスペクトル情報の収集を開始させる制御信号を出力する。
【００２７】
このほかに、情報処理部４は、スペクトル情報収集部２が収集したスペクトル情報についてのデータを受け、そのデータを演算処理することによって、色特性値を算出する。
【００２８】
図２は、本発明にかかる第１の実施形態において、情報処理部４にて演算処理を実施する部材を示すブロック図である。
【００２９】
図２に示すように、情報処理部４は、瞳孔径算出部４１と、分光網膜照度算出部４２と、スペクトル情報変換部４３と、色特性算出部４４とを有する。なお、各部は、上述したように、メモリ６に記憶されたプログラムがコンピュータを実行させることによって機能する。情報処理部４の各部について順次説明する。
【００３０】
瞳孔径算出部４１は、スペクトル情報収集部２によって収集されたスペクトル情報によって算出される輝度に基づいて瞳孔径を算出する。本実施形態においては、瞳孔径算出部４１は、スペクトル情報収集部２によって収集されたスペクトル情報に基づいて色特性算出部４４が試料Ｓについて算出した色特性値のうち、輝度に関するデータを受け、その算出された輝度のデータを用いて瞳孔径を算出する。
【００３１】
分光網膜照度算出部４２は、スペクトル情報収集部２によって収集されたスペクトル情報と、瞳孔径算出部４１によって算出された瞳孔径とに基づいて、分光網膜照度を算出する。
【００３２】
スペクトル情報変換部４３は、分光網膜照度算出部４２にて算出された分光網膜照度を、メモリ６が記憶している等色相曲線データに照らし合わせることによって、スペクトル情報収集部２にて収集されたスペクトル情報を変換する。
【００３３】
色特性算出部４４は、スペクトル情報収集部２によって収集されたスペクトル情報に基づいて試料Ｓについての色特性値を算出する。また、この他に、色特性算出部４４は、スペクトル情報変換部４３によって変換されたスペクトル情報に基づいて試料Ｓについての色特性値を算出する。
【００３４】
情報処理部４については、上記のように構成されている。
【００３５】
指示部５は、マウス，キーボードなどの入力装置を含むように構成されている。指示部５は、測定者によって測定条件や操作の指示が入力され、その入力された指示内容に対応するように、操作信号を情報処理部４に出力する。
【００３６】
メモリ６は、コンピュータを各種手段として機能させるためのプログラムや、各種データを記憶している。そして、メモリ６は、情報処理部４によってアクセスされ、その記憶している各種プログラムや各種データが利用される。たとえば、試料Ｓからの刺激光ＨＳを測定する測定条件を記憶している。また、スペクトル情報収集部２に収集されたスペクトル情報を演算処理するためのプログラムを記憶している。具体的には、輝度と瞳孔径とを互いに関連付けたルックアップテーブルや、三刺激値や色度を算出する際に用いる等色関数ｘ（λ），ｙ（λ），ｚ（λ）に対応した演算処理を実行させるプログラムや、波長と分光網膜照度との関係を示す等色相曲線データなどの各種データを記憶している。なお、等色関数ｘ（λ），ｙ（λ），ｚ（λ）は、ＣＩＥで定められた標準観測者が感じる標準比視感度曲線に基づいて求められる既知の関数のことをいう。
【００３７】
出力制御部７は、たとえば、コンピュータと、そのコンピュータに所定の動作を実行させるプログラムを記憶しているメモリとを有しており、モニタ８とプリンタ９との表示出力動作を制御する。ここでは、出力制御部７は、情報処理部４からの制御信号に基づいて、モニタ８とプリンタ９とのそれぞれを制御する。
【００３８】
モニタ８は、たとえば、表示パネルを有しており、出力制御部７からの制御信号に基づいて、各種画像を表示画面に表示する。たとえば、スペクトル情報や、情報処理部４によって算出された色特性値を表示する。
【００３９】
プリンタ９は、たとえば、インクジェット式プリンタであり、出力制御部７からの制御信号に基づいて、各種画像を印刷して表示する。たとえば、スペクトル情報や、情報処理部４によって算出された色特性値を紙面に印刷して出力する。
【００４０】
（動作）
本発明の第１の実施形態にかかる色彩測定装置１００の動作について説明する。
【００４１】
図３と図４は、本発明の第１の実施形態にかかる色彩測定装置１００の動作を説明するための図である。ここで、図３は、本発明の第１の実施形態にかかる色彩測定装置１００の動作を示すフロー図である。一方、図４は、本発明の第１の実施形態にかかる色彩測定装置１００が動作する際において、モニタ８が表示画面に表示する画像を示す図である。
【００４２】
まず、図３に示すように、スペクトル情報を収集する（Ｓ１１）。
【００４３】
ここでは、試料Ｓを分光光度計１に測定者がセットする。本実施形態においては、液晶表示ディスプレイを試料Ｓとして分光光度計１の測定位置にセットする。
【００４４】
そして、図４に示すように、モニタ８が表示する画像において、命令表示領域ＭＲに示されている「測定開始」ボタンを押すように、測定者が指示部５のポインティングデバイスでカーソルＣを移動して操作する。これにより、メモリ６に記憶されている測定プログラムが情報処理部４によって呼び出され、その測定プログラムが制御信号をスペクトル情報収集部２と、分光光度計制御部３とに送信し、試料Ｓの刺激光ＨＳについてのスペクトル情報が収集される。
【００４５】
具体的には、試料Ｓからの刺激光ＨＳのうち、たとえば、波長３８０〜７８０ｎｍの光が分光光度計１の受光素子１ｂに入射され、その受光素子１ｂがその入射光を電気信号に変換する。そして、この変換された電気信号をスペクトル情報収集部２がスペクトル情報Ｓ１（λ）として収集する。このスペクトル情報Ｓ１（λ）は、たとえば、光電子倍増管において特定の波長の光が直接受光されて変換される電気信号を基準として、分光放射輝度として算出される。
【００４６】
たとえば、図４に示すように、モニタ８が表示する画像において測定データ表示領域ＥＤと分光分布表示領域ＳＤとに示されているスペクトル情報Ｓ１（λ）のように、５４５ｎｍの波長λにてピークを有するスペクトル情報Ｓ１（λ）が収集される。
【００４７】
つぎに、図３に示すように、色特性値を算出する（Ｓ２１）。
【００４８】
ここでは、色特性として、三刺激値Ｘ，Ｙ，Ｚ，色度ｘ，ｙを、色特性算出部４４が算出する。まず、三刺激値Ｘ，Ｙ，Ｚや色度ｘ，ｙを算出する際に用いる等色関数ｘ（λ），ｙ（λ），ｚ（λ）を含む演算処理を実行させるプログラムを、色特性算出部４４がメモリ６から呼び出す。そして、色特性算出部４４が演算処理を実行し、この三刺激値Ｘ，Ｙ，Ｚと色度ｘ，ｙとして、第１の三刺激値Ｘ１，Ｙ１，Ｚ１，第１の色度ｘ１，ｙ１を算出する。
【００４９】
具体的には、以下の数式（１），（２），（３），（４），（５）に示すように、「ＪＩＳ  Ｚ  ８７０１」，「ＪＩＳ  Ｚ  ８７８２」にて規定されている計算方法に基づいて算出する。なお、ここで、Ｋは、「最大視感度」であり、６８３[ｌｍ/Ｗ]である。
【００５０】
【数１】
2008051671.tif 000003
【００５１】
【数２】
2008051671.tif 000004
【００５２】
【数３】
2008051671.tif 000005
【００５３】
【数４】
2008051671.tif 000006
【００５４】
【数５】
2008051671.tif 000007
【００５５】
これにより、たとえば、図４に示すように、モニタ８が表示する画像において測定データ表示領域ＥＤに示されている値のように、第１の三刺激値Ｘ１，Ｙ１，Ｚ１，第１の色度ｘ１，ｙ１が算出される。
【００５６】
つぎに、図３に示すように、瞳孔径を算出する（Ｓ３１）。
【００５７】
ここでは、上記のようにスペクトル情報Ｓ１（λ）から算出される輝度Ｙ１（三刺激値Ｘ１，Ｙ１，Ｚ１のうちのＹ１）に基づいて瞳孔径算出部４１が瞳孔径Ｒを算出する。
【００５８】
具体的には、実験にて測定された輝度Ｙと瞳孔径Ｒとの関係に対応するように輝度Ｙと瞳孔径Ｒとが互いに関連付けられてメモリに記憶されているルックアップテーブルを用いて、上記のようにして算出された輝度Ｙに対応する瞳孔径Ｒを抽出することによって、瞳孔径算出部４１が瞳孔径Ｒを求める。ここでは、輝度Ｙが高い場合には、瞳孔径Ｒが小さい値として求められ、輝度Ｙが低い場合には、瞳孔径Ｒが大きい値として求められる。
【００５９】
つぎに、図３に示すように、分光網膜照度を算出する（Ｓ４１）。
【００６０】
ここでは、上記のようにスペクトル情報収集部２によって収集されたスペクトル情報Ｓ１（λ）と、瞳孔径算出部４１によって算出された瞳孔径Ｒ[ｍｍ]とに基づいて、分光網膜照度算出部４２が分光網膜照度Ｅｒ（λ）[ｔｄ]を算出する。具体的には、以下の数式（６）に示すようにして、分光網膜照度Ｅｒ（λ）を算出する。なお、本数式において、Ｌ（λ）は、分光輝度[ｃｄ/ｍ^２]であり、Ｖ（λ）は、標準比視感度であり、Ｓ１（λ）は、分光放射輝度 [Ｗ/ｓｔ・ｍ^２]である。
【００６１】
【数６】
2008051671.tif 000008
【００６２】
これにより、図４に示すように、たとえば、スペクトル情報Ｓ１（λ）が収集された際にその分光放射輝度が最大である波長λ５４５ｎｍに関しては、分光網膜照度Ｅｒ（λ）の値が６０ｔｄとして算出される。
【００６３】
つぎに、図３に示すように、スペクトル情報を変換する（Ｓ５１）。
【００６４】
ここでは、分光網膜照度算出部４２にて算出された分光網膜照度Ｅｒ（λ）を、メモリ６が記憶している等色相曲線データにスペクトル情報変換部４３が照らし合わせることによって、スペクトル情報収集部２にて収集されたスペクトル情報Ｓ１（λ）を、条件等色誤差を補正したスペクトル情報Ｓ２（λ）へ変換する。
【００６５】
図５は、本発明にかかる第１の実施形態において、スペクトル情報Ｓ１（λ）を変換する際に用いる等色相曲線データと、算出された分光網膜照度Ｅｒ（λ）とを重ねて示す図である。図５においては、分光網膜照度の値が１０ｔｄ以上の部分を示しており、１０ｔｄ未満の部分については、１０ｔｄでの波長λと略同等な値で推移している。
【００６６】
本実施形態においては、上述したように、スペクトル情報Ｓ１（λ）において波長λが５４５ｎｍである点Ｐ１については分光網膜照度Ｅｒ（λ）が６０ｔｄとして算出されているため、図５に示すように、この点Ｐ１は、等色相曲線において波長が５５５ｎｍであることがわかる。すなわち、スペクトル情報Ｓ１（λ）の波長λが５４５ｎｍであって分光網膜照度Ｅｒ（λ）が６０ｔｄである点Ｐ１に交差する等色相曲線を、分光網膜照度Ｅｒ（λ）の値が低い方へ辿ると、その点Ｐ１は、波長が５５５ｎｍであることを示す点Ｐ２に移動する。このため、条件等色誤差を補正するスペクトル情報Ｓ２（λ）においては、その５４５ｎｍの波長でのデータを、波長が５５５ｎｍであるデータとして変換する。
【００６７】
このように、スペクトル情報Ｓ１（λ）を波長λごとに一定の分光網膜照度にて得られたデータになるように変換することによって、図４にて分光分布として示すように、条件等色誤差を補正するスペクトル情報Ｓ２（λ）を得る。なお、本実施形態においては、図４に示すように、変換されたスペクトル情報Ｓ２（λ）は、変換前のスペクトル情報Ｓ１（λ）に対して、波長λが５４５ｎｍ付近と６１０ｎｍ付近である部分にて異なり、他の波長λの範囲においては、略同等なデータであった。これは、変換前のスペクトル情報Ｓ１（λ）においてピーク値になっている波長λが５４５ｎｍ付近と６１０ｎｍ付近である部分については、分光網膜照度Ｅｒ（λ）の値が大きいために、変換前後の差異が大きいのに対して、その他の波長λの部分については、分光網膜照度Ｅｒ（λ）の値が小さいために、変換前後の差異が殆んど無く、同等であったためである。
【００６８】
つぎに、条件等色誤差が補正された色特性を算出する（Ｓ６１）。
【００６９】
ここでは、色特性算出部４４が、スペクトル情報変換部４３によって変換されたスペクトル情報Ｓ２（λ）に基づいて、条件等色誤差が補正された色特性値を算出する。そして、その算出した色特性値をメモリ６が記憶する。
【００７０】
本実施形態においては、三刺激値Ｘ，Ｙ，Ｚや色度ｘ，ｙを算出する際に用いる等色関数ｘ（λ），ｙ（λ），ｚ（λ）を含む演算処理を実行させるプログラムを、色特性算出部４４がメモリ６から呼び出す。そして、色特性算出部４４が演算処理を実行し、この三刺激値Ｘ，Ｙ，Ｚと色度ｘ，ｙとして、第２の三刺激値Ｘ２，Ｙ２，Ｚ２，第２の色度ｘ２，ｙ２を算出する。
【００７１】
具体的には、以下の数式（７），（８），（９），（１０），（１１）に示すように、「ＪＩＳ  Ｚ  ８７０１」，「ＪＩＳ  Ｚ  ８７８２」にて規定されている計算方法に基づいて算出する。なお、ここで、Ｋは、「最大視感度」であり、６８３[ｌｍ/Ｗ]である。
【００７２】
【数７】
2008051671.tif 000009
【００７３】
【数８】
2008051671.tif 000010
【００７４】
【数９】
2008051671.tif 000011
【００７５】
【数１０】
2008051671.tif 000012
【００７６】
【数１１】
2008051671.tif 000013
【００７７】
つぎに、測定データの表示を実施する（Ｓ７１）。
【００７８】
ここでは、たとえば、スペクトル情報や、情報処理部４によって算出された色特性値をモニタ８が表示する。
【００７９】
具体的には、図４に示すように、測定データ表示領域ＥＤにおいて測定データを表示する。ここでは、たとえば、変換前のスペクトル情報Ｓ１（λ）と、変換後のスペクトル情報Ｓ２（λ）とを数値で表示する。また、変換前のスペクトル情報Ｓ１（λ）から算出された第１の三刺激値Ｘ１，Ｙ１，Ｚ１，第１の色度ｘ１，ｙ１と、変換後のスペクトル情報Ｓ２（λ）から算出された第２の三刺激値Ｘ２、Ｙ２，Ｚ２，第２の色度ｘ２、ｙ２とを、互いが対応して並ぶように、数値にて表示する。また、この他に、分光分布表示領域ＳＤにおいて分光分布を表示する。ここでは、変換前のスペクトル情報Ｓ１（λ）と変換後のスペクトル情報Ｓ２（λ）とを、線グラフにて重ねて示すように表示する。
【００８０】
以上のように、本実施形態においては、試料Ｓの刺激光ＨＳについてのスペクトル情報Ｓ１（λ）を収集する。そして、その収集されたスペクトル情報Ｓ１（λ）によって算出される輝度Ｙ１に基づいて瞳孔径Ｒを算出する。そして、収集されたスペクトル情報Ｓ１（λ）と、算出された瞳孔径Ｒとに基づいて、分光網膜照度Ｅｒ（λ）を算出する。その後、その算出された分光網膜照度Ｅｒ（λ）を等色相曲線データに照らし合わせることによって、収集されたスペクトル情報Ｓ１（λ）を、条件等色誤差が補正されたスペクトル情報Ｓ２（λ）に変換する。そして、その変換されたスペクトル情報Ｓ２（λ）に基づいて試料Ｓについての色特性値を算出する。したがって、本実施形態は、ベゾルド・ブリュッケ現象の影響によって生じる条件等色誤差を補正しているために、測定者が適正な色特性情報を効率的に得ることができる。すなわち、本実施形態においては、ＣＩＥ１９３１表色系の客観的色度と主観的観測の不一致が見られるが、ベゾルトブリュッケ現象の等色相曲線に沿って各波長成分を短波長側もしくは長波長側の等色相に移動させる手段により、客観的色度と主観的観測の不一致を是正し求めているために、測定者が適正な色特性情報を効率的に得ることができる。
【００８１】
＜第２の実施形態＞
本発明にかかる第２の実施形態について説明する。
【００８２】
（装置）
図６は、本発明にかかる第２の実施形態において、条件等色誤差測定システム２００の構成を示すブロック図である。
【００８３】
図６に示すように、条件等色誤差測定システム２００は、刺激光調整装置２０１と、色彩測定装置２０２とを含む。
【００８４】
刺激光調整装置２０１について説明する。
【００８５】
図７は、本発明にかかる第２の実施形態において、刺激光調整装置２０１の構成を示す図である。
【００８６】
図７に示すように、刺激光調整装置２０１は、暗室部１２と、第１のプリズム１３と、第２のプリズム１４と、信号発生器１６と、分配器１７と、第１の調整器１８と、第２の調整器１９と、等色２分視野２０とを有しており、被験者の操作によって、試料Ｓからの等色刺激光ＨＴが、参照試料ＲＳからの参照刺激光ＨＲと同様な色特性に観察されるように調整される。刺激光調整装置２０１の各部について説明する。
【００８７】
暗室部１２は、図７に示すように、光が遮光された遮光空間ＳＡを含み、その遮光空間ＳＡに、試料Ｓからの等色刺激光ＨＴと参照試料ＲＳからの参照刺激光ＨＲとのそれぞれが入射されるように、第１の開口Ａ１と第２の開口Ａ２とが形成されている。ここでは、第１の開口Ａ１と第２の開口Ａ２とは、互いに対面するように形成されており、参照試料ＲＳが第１の開口Ａ１に配置され、第１の開口Ａ１から参照試料ＲＳの参照刺激光ＨＲが入射されると共に、試料Ｓが第２の開口Ａ２に配置され、第２の開口Ａ２から試料Ｓの等色刺激光ＨＴが入射される。つまり、参照試料ＲＳからの参照刺激光ＨＲと、試料Ｓからの等色刺激光ＨＴとが互いに干渉しないように、参照試料ＲＳからの参照刺激光ＨＲと試料Ｓからの等色刺激光ＨＴとが互いに向かい合うように遮光空間ＳＡに入射される。また、図７に示すように、その遮光空間ＳＡには、試料Ｓからの等色刺激光ＨＴと参照試料ＲＳからの参照刺激光ＨＲとのそれぞれが出射されるように、第３の開口Ａ３と第４の開口Ａ４とが形成されている。ここでは、第３の開口Ａ３と第４の開口Ａ４とは、第１の開口Ａ１と第２の開口Ａ２との間において、互いに対面するように形成されており、第１の開口Ａ１から入射された参照試料ＲＳの参照刺激光ＨＲが第３の開口Ａ３から出射されると共に、第２の開口Ａ２から入射された試料Ｓの等色刺激光ＨＴが第４の開口Ａ４から出射される。本実施形態においては、参照試料ＲＳとして、ＣＲＴディスプレイの表示画面が配置され、試料Ｓとして液晶表示ディスプレイの表示画面が配置される。
【００８８】
第１のプリズム１３は、暗室部１２の第３の開口Ａ３に対応するように配置されており、第３の開口Ａ３から出射された参照刺激光ＨＲを、屈折させて、等色２分視野２０へ出射する。
【００８９】
第２のプリズム１４は、暗室部１２の第４の開口Ａ４に対応するように配置されており、第４の開口Ａ４から出射された等色刺激光ＨＴを、屈折させて、等色２分視野２０へ出射する。
【００９０】
信号発生器１６は、信号を発生する機器であり、その発生した信号を分配器１７へ出力する。
【００９１】
分配器１７は、入力された信号を分配する機器であり、信号発生器１６が出力した信号が入力され、その入力された信号を第１の調整器１８と、第２の調整器１９とのそれぞれに分配する。
【００９２】
第１の調整器１８は、参照試料ＳとしてのＣＲＴディスプレイに接続されており、そのＣＲＴディスプレイが表示する画像による参照刺激光ＨＲを調整する。たとえば、測定者がＲＧＢの調整ボリュームを操作した情報に対応するように、色調整の動作を実行する。
【００９３】
第２の調整器１９は、試料ＲＳとしての液晶表示ディスプレイに接続されており、その液晶表示ディスプレイが表示する画像による等色刺激光ＨＴを調整する。たとえば、被験者がＲＧＢの調整ボリュームを操作した情報に対応するように、色調整の動作を実行する。
【００９４】
等色２分視野２０は、暗室部１２の第３の開口Ａ３から出射され、第１のプリズム１３によって屈折された参照刺激光ＨＲと、暗室部１２の第４の開口Ａ４から出射され、第２のプリズム１４によって屈折された等色刺激光ＨＴとを表示し、被験者ＳＵに提示する。本実施形態においては、視野角ＦＡが、たとえば、２°になるように、その提示が行われる。
【００９５】
図８は、本発明にかかる第２の実施形態において、等色２分視野２０を示す正面図である。
【００９６】
図８に示すように、等色２分視野２０は、光を遮光する遮光板の中央部分に円形で形成されており、中央で２つに分割された半円の一方に参照刺激光ＨＲが照射され、他方の半円に試料Ｓの等色刺激光ＨＴが照射される。
【００９７】
色彩測定装置２０２について説明する。
【００９８】
図９は、本発明にかかる第２の実施形態において、色彩測定装置２０２の構成を示す図である。図９において、図９（ａ）は、色彩測定装置２０２の全体構成を示す図であり、図９（ｂ）は、情報処理部４にて演算処理を実施する部材を示すブロック図である。
【００９９】
色彩測定装置２０２は、図９（ａ）に示すように、分光光度計１と、スペクトル情報収集部２と、分光光度計制御部３と、情報処理部４と、指示部５と、メモリ６と、出力制御部７と、モニタ８と、プリンタ９とを有する。ここで、情報処理部４は、図９（ｂ）に示すように、瞳孔径算出部４１と、分光網膜照度算出部４２と、スペクトル情報変換部４３と、色特性算出部４４と、条件等色誤差算出部４５とを有する。
【０１００】
色彩測定装置２０２は、情報処理部４が条件等色誤差算出部４５を、さらに有することを除き、第１の実施形態において示した色彩測定装置１００と同様な構成である。このため、重複する箇所については、同一符号を付し、説明を省略する。
【０１０１】
詳細については後述するが、本実施形態においては、色彩測定装置２０２は、第１の実施形態と同様にして、参照試料ＲＳからの参照刺激光ＨＲについての色特性値を、色特性算出部４４が算出した後に、条件等色誤差を算出する。
【０１０２】
（動作）
本発明の第２の実施形態にかかる条件等色誤差測定システム２００の動作について説明する。
【０１０３】
図１０と図１１は、本発明の第２の実施形態にかかる条件等色誤差測定システム２００の動作を説明するための図である。ここで、図１０は、本発明にかかる第２の実施形態において、条件等色誤差測定システム２００の動作を示すフロー図である。一方、図１１は、本発明にかかる第２の実施形態において、条件等色誤差測定システム２００が動作する際に、モニタ８が表示画面に表示する画像を示す図である。
【０１０４】
ここでは、条件等色被験実験を実施した後に、その条件等色被験実験の結果に基づいて、条件等色誤差の算出を実施する。
【０１０５】
具体的には、図１０に示すように、まず、試料Ｓからの等色刺激光ＨＴについての調整を実施する（Ｓ１１１）。
【０１０６】
ここでは、刺激光調整装置２０１を用いて、試料Ｓからの等色刺激光ＨＴと、参照試料ＲＳからの参照刺激光ＨＲとが互いに同一な明るさおよび色調に観察されるように、被験者がその試料Ｓからの等色刺激光ＨＴを調整することによって、この条件等色被験実験を実施する。
【０１０７】
本実施形態においては、最初に、参照試料ＲＳとしてのＣＲＴディスプレイが表示する画像による参照刺激光ＨＲが、所定の輝度および色度を示すように、参照試料ＲＳとしてのＣＲＴディスプレイの表示動作を調整する。たとえば、Ｄ６５の色度になるように調整する。そして、これと同様にして、試料Ｓとしての液晶表示ディスプレイが表示する画像による等色刺激光ＨＴが、所定の輝度および色度を示すように、試料Ｓとしての液晶表示ディスプレイの表示動作を調整する。つまり、試料Ｓに対して参照試料の色特性値が基準になるように、ＣＩＥにて規定された算出方法にて得られる色特性値が同一とするように互いの刺激光を調整する。ここでは、前述したように、ベゾルド・ブリュッケ現象の影響によって、試料Ｓによる等色刺激光ＨＴと、参照試料ＲＳによる参照刺激光ＨＲとの間においては条件等色誤差が生じるために、等色刺激光ＨＴと参照刺激光ＨＲとが同様な色特性値になるように調整されているにも関わらず、刺激光調整装置２０１の等色２分視野２０を観察した被験者ＳＵにおいては、互いに異なった色特性であると認識される。なお、ここでは、試料Ｓ（等色刺激）については、参照刺激の色特性と必ずしも同一にする必要は無く、任意の色特性であっても構わない。たとえば、全白、全黒から被験者が合わせても構わない。
【０１０８】
この後、試料Ｓからの等色刺激光ＨＴと、参照試料ＲＳからの参照刺激光ＨＲとが、等色２分視野２０において互いに同一な明るさおよび色調に観察されるように、被験者ＳＵが等色２分視野２０を観察しながら、その試料Ｓからの等色刺激光ＨＴを第２の調整器１９を用いて調整する
【０１０９】
つぎに、図１０に示すように、色特性値を算出する（Ｓ１２１）。
【０１１０】
ここでは、色彩測定装置２０２を用いて、参照試料ＲＳからの参照刺激光ＨＲについての色特性値を、第１の色特性値として算出する。また、これと共に、第２の調整器１９によって調整された試料Ｓの等色刺激光ＨＴについての色特性値を、色彩測定装置２０２を用いて第２の色特性値として算出する。
【０１１１】
本実施形態においては、第１の実施形態にて示した場合と同様にして、この第１の色特性値と第２の色特性値とのそれぞれを算出する。
【０１１２】
具体的には、前述の図３でのステップＳ１１に示したように、参照試料ＳＲの参照刺激光ＨＲについてのスペクトル情報を収集した後に、ステップＳ２１に示したように、その色特性値を算出する。そして、ステップＳ３１に示したように、瞳孔径を算出した後に、ステップＳ４１に示したように、分光網膜照度を算出する。そして、ステップＳ５１に示したように、そのスペクトル情報を変換後、ステップＳ６１に示したように、条件等色誤差が補正された色特性を算出する。そして、ステップＳ７１に示したように、その測定データの表示を実施する。本実施形態においては、この算出された色特性値を、第１の色特性値として記憶させる。
【０１１３】
また、これと同様に、図３でのステップＳ１１に示したように、試料Ｓの等色刺激光ＨＴについてのスペクトル情報を収集した後に、ステップＳ２１に示したように、その色特性値を算出する。そして、ステップＳ３１に示したように、瞳孔径を算出した後に、ステップＳ４１に示したように、分光網膜照度を算出する。そして、ステップＳ５１に示したように、そのスペクトル情報を変換後、ステップＳ６１に示したように、条件等色誤差が補正された色特性を算出する。そして、ステップＳ７１に示したように、その測定データの表示を実施する。本実施形態においては、この算出された色特性値を、第２の色特性値として記憶させる。
【０１１４】
このように、試料Ｓからの等色刺激光ＨＴについての調整を実施するステップＳ１１１と、色特性値を算出するステップＳ１２１とを実行することで、条件等色被験実験を実施する。
【０１１５】
本実施形態においては、この条件等色被験実験を、複数の被験者ＳＵについて実施する。たとえば、図１１に示すように、モニタ８が表示する画像において測定リスト表示領域ＥＬに示されているように、等色刺激光に関して、２０人の被験者ＳＵについて実施する。
【０１１６】
つぎに、図１０に示すように、条件等色誤差を算出する（Ｓ１３１）。
【０１１７】
ここでは、上記のように算出された参照刺激光ＨＲに関する第１の色特性値と、等色刺激光ＨＴに関する第２の色特性値とを、色彩測定装置２０２の条件等色誤差算出部４５が差分することによって、条件等色誤差を算出する。
【０１１８】
本実施形態においては、液晶表示ディスプレイである試料Ｓの等色刺激光ＨＴと、ＣＲＴディスプレイである参照試料ＳＲの参照刺激光ＨＲとの間における条件等色誤差について算出する。すなわち、「表示装置間での条件等色誤差」を算出する。また、これと共に、「複数の被験者の間での条件等色誤差」について算出する。
【０１１９】
具体的には、この条件等色誤差について算出する際には、図１１に示すように、モニタ８が表示する画像において、命令表示領域ＭＲに示されている「参照刺激選択」のダイヤログボックスに、測定者が参照刺激光の測定結果を測定リスト３１から選択して入力する。ここでは、「Ｓ０」を入力する。同様に、命令表示領域ＭＲの「等色刺激選択」のダイヤログボックスに、測定者が各被験者ＳＵについて測定した等色刺激光ＨＴの測定結果を測定リスト３１から選択して入力する。ここでは、「Ｓ１」と「Ｓ２０」とを入力することによって、２０人の被験者ＳＵについて測定した値を選択する。この選択は、測定者が指示部５を操作することによって実施される。
【０１２０】
この後、「演算開始」ボタンを押すように、測定者が指示部５のポインティングデバイスでカーソルＣを移動して操作する。これにより、メモリ６に記憶されている演算プログラムが情報処理部４によって呼び出され、その演算プログラムを用いて、条件等色誤差算出部４５が、色特性算出部４４によって算出された第１の色特性値と第２の色特性値とを差分する演算処理を実施し、条件等色誤差を算出する。ここでは、従来の算出方法によって算出された等色刺激光に関する第２の色特性値の平均値を算出した後に、その第２の色特性値の平均値と、参照刺激光に関する第１の色特性値との差分値を演算処理によって算出し、その差分値を、「表示装置間での条件等色誤差」として記憶する。
【０１２１】
すなわち、参照刺激光と複数の被験者について得た等色刺激光によって算出した三刺激値Ｘ１，Ｙ１，Ｚ１、色度ｘ１，ｙ１などの色特性値をメモリ６から読みだし、その参照刺激光と、複数の被験者について得た等色刺激光によって得られた色特性値の平均値の差分値ΔＹ１，Δｘ１，Δｙ１を求め、その差分値ΔＹ１，Δｘ１，Δｙ１を、「表示装置間での条件等色誤差」としてメモリ６が記憶する。そして、表示装置間での条件等色誤差」を、数値情報として、モニタ８が表示する。具体的には、図１１に示すように、演算データ表示領域ＤＲにおいて、輝度の差分値ΔＹ１と、色度の差分値Δｘ１，Δｙ１として表示する。
【０１２２】
そして、これと共に、複数の被験者ＳＵから得た等色刺激光について条件等色誤差を補正するように算出された三刺激値Ｘ２，Ｙ２，Ｚ２、色度ｘ２，ｙ２などの色特性値について、被験者ＳＵの間の平均値を算出した後に、その平均値と、各被験者ＳＵにて得られた色特性値との差分値を算出する。そして、その差分値ΔＹ２，Δｘ２，Δｙ２を、「被験者間での条件等色誤差」としてメモリ６が記憶する。そして、「被験者間での条件等色誤差」を、数値情報として、モニタ８が表示する。具体的には、図１１にてＳ１〜Ｓ２０として示すように、複数の被験者ＳＵのそれぞれについて算出された輝度の差分値ΔＹ２と、色度の差分値Δｘ２，Δｙ２とを、マトリクス状の表として演算データ表示領域ＤＲに表示する。そして、これと共に、図１１に示すように、色度図表示領域ＧＲにおいて、色度ｘ２，ｙ２のそれぞれを横軸，縦軸にしたグラフに、複数の被験者Ｓ１〜Ｓ２０のそれぞれについて算出された色度ｘ２，ｙ２を、参照刺激光について得られた色度ｘ２，ｙ２と共に、プロットして表示する。
【０１２３】
以上のように、本実施形態は、試料Ｓからの等色刺激光ＨＴと、参照試料ＳＲからの参照刺激光ＨＲとが互いに同一な明るさおよび色調に観察されるように、試料Ｓからの等色刺激光ＨＴを複数の被験者が調整する。そして、その参照試料からの刺激光についての色特性値を、第１の色特性値として算出すると共に、その調整された試料の刺激光についての色特性値を、第２の色特性値として算出する。そして、その算出された第１の色特性値と第２の色特性値とを差分することによって、条件等色誤差を算出する。ここで、上記の色特性を算出する際には、第１の実施形態と同様に、各刺激光について収集されたスペクトル情報を変換した後に、その変換されたスペクトル情報に基づいて、各色特性値を算出する。このため、本実施形態は、ベゾルド・ブリュッケ現象の影響によって生じる条件等色誤差について、効率的に測定することができる。特に、本実施形態においては、試料Ｓと参照試料ＲＳとの間のように、「表示装置間における条件等色誤差」と、「複数の被験者の間における条件等色誤差」とのそれぞれを、容易に切り分けて算出することができる。
【０１２４】
なお、本発明の実施に際しては、上記した実施の形態に限定されるものではなく、種々の変形形態を採用することができる。
【０１２５】
たとえば、上述した実施形態では、被験者での測定データを介して表示装置間の条件等色誤差を算出しているが、被験者による条件等色誤差を含まない表示装置間の条件等色誤差を算出することも可能である。具体的には、表示装置ごとにステップＳ１１からＳ１７を繰返し測定することにより、任意の輝度、色度を各表示装置で同一に設定する。このとき、同時に算出されている従来の輝度、色度値の差分が表示装置間の条件等色誤差となる。
【０１２６】
また、本発明にかかる色彩測定方法については、表示装置を製造する際に、表示画像を検査する工程にて使用しても好適である。
【図面の簡単な説明】
【０１２７】
【図１】図１は、本発明にかかる第１の実施形態において、色彩測定装置１００の構成を示すブロック図である。
【図２】図２は、本発明にかかる第１の実施形態において、情報処理部４にて演算処理を実施する部材を示すブロック図である。
【図３】図３は、本発明の第１の実施形態にかかる色彩測定装置１００の動作を示すフロー図である。
【図４】図４は、本発明の第１の実施形態にかかる色彩測定装置１００が動作する際において、モニタ８が表示画面に表示する画像を示す図である。
【図５】図５は、本発明にかかる第１の実施形態において、スペクトル情報Ｓ１（λ）を変換する際に用いる等色相曲線データと、算出された分光網膜照度Ｅｒ（λ）とを重ねて示す図である。
【図６】図６は、本発明にかかる第２の実施形態において、条件等色誤差測定システム２００の構成を示すブロック図である。
【図７】図７は、本発明にかかる第２の実施形態において、刺激光調整装置２０１の構成を示す図である。
【図８】図８は、本発明にかかる第２の実施形態において、等色２分視野２０を示す正面図である。
【図９】図９は、本発明にかかる第２の実施形態において、色彩測定装置２０２の構成を示す図である。
【図１０】図１０は、本発明にかかる第２の実施形態において、条件等色誤差測定システム２００の動作を示すフロー図である。
【図１１】図１１は、本発明にかかる第２の実施形態において、条件等色誤差測定システム２００が動作する際に、モニタ８が表示画面に表示する画像を示す図である。
【符号の説明】
【０１２８】
１…分光光度計、２…スペクトル情報収集部、３…分光光度計制御部、４…情報処理部、５…指示部、６…メモリ、７…出力制御部、８…モニタ、９…プリンタ、１２…暗室部、１３…第１のプリズム、１４…第２のプリズム、１６…信号発生器、１７…分配器、１８…第１の調整器、１９…第２の調整器、２０…等色２分視野、１００，２０２…色彩測定装置、２００…条件等色誤差測定システム、２０１…刺激光調整装置。
【図１】
2008051671.tif 000014
【図２】
2008051671.tif 000015
【図３】
2008051671.tif 000016
【図４】
2008051671.tif 000017
【図５】
2008051671.tif 000018
【図６】
2008051671.tif 000019
【図７】
2008051671.tif 000020
【図８】
2008051671.tif 000021
【図９】
2008051671.tif 000022
【図１０】
2008051671.tif 000023
【図１１】
2008051671.tif 000024